(57)【要約】【課題】スクリーンの両側縁をガイドレールに吸着して遮光性を確保しながら、スクリーンの昇降操作を円滑にかつ軽微な操作力で操作し得るロールブラインドを提供する。【解決手段】取付面に回転可能に支持された巻取軸３からスクリーン５を昇降可能に吊下支持し、スクリーン５の両側部と、該両側部に対向するガイドレール９との間に互いに吸着する吸着手段を備えたロールブラインドにおいて、ガイドレール９に設けた吸着手段１０の吸着面は、スクリーン５の昇降操作時にスクリーンを吸着しないように、該スクリーン５の昇降位置から離間させた。【選択図】図４
0003154375.tif 000002
【実用新案登録請求の範囲】
【請求項１】
取付面に回転可能に支持された巻取軸からスクリーンを昇降可能に吊下支持し、前記スクリーンの両側部と、該両側部に対向するガイドレールとの間に互いに吸着する吸着手段を備えたロールブラインドにおいて、
前記ガイドレールに設けた吸着手段の吸着面は、前記スクリーンの昇降操作時にスクリーンを吸着しないように、該スクリーンの昇降位置から離間させたことを特徴とするロールブラインド。
【請求項２】
前記吸着面は、前記巻取軸の中心線に沿って位置させたことを特徴とする請求項１記載のロールブラインド。
【請求項３】
前記吸着手段は、
前記スクリーンの両側部に取着した磁性帯と、
前記ガイドレールに設けられ、前記磁性帯と吸引しあう吸着材と
を備えたことを特徴とする請求項１又は２記載のロールブラインド。
【請求項４】
前記巻取軸の一端から垂下される操作チェーンで巻取軸を回転させて前記スクリーンを昇降可能としたことを特徴とする請求項１乃至３のいずれか１項に記載のロールブラインド。
【考案の詳細な説明】
【技術分野】
【０００１】
この考案は、遮光性を必要とする暗幕等として使用されるロールブラインドに関するものである。
【背景技術】
【０００２】
ロールブラインドの一種類として、巻取軸から垂下されるスクリーンを暗幕として使用するものがある。このようなロールブラインドでは、巻取軸から遮光性を備えたスクリーンが昇降可能に支持され、スクリーンを下降させたとき、スクリーンの両端部をマグネット等の吸着手段でガイドレールに密着させて、スクリーン両端部からの外光の洩れを防止している。
【０００３】
特許文献１には、シートシャッターの座板の端部をガイドレールに磁着する構成が開示されている。
特許文献２には、ロールブラインドのスクリーンの両端部を磁石で壁に吸着する構成が開示されている。
【先行技術文献】
【特許文献】
【０００４】
【特許文献１】特開２００３−５２８４７号
【特許文献２】実公平１−４５３４３号
【考案の概要】
【考案が解決しようとする課題】
【０００５】
上記のようなロールブラインドでは、スクリーンの両端がガイドレールに吸着されている状態からスクリーンの引き上げ操作を開始するとき、スクリーンの両側部をマグネットに対し引き摺りながら引き上げる状態となる。従って、引き上げ操作に要する操作力が増大するという問題点がある。
【０００６】
また、スクリーンが下限に至る前にガイドレールに吸着されると、この状態からスクリーンをさらに下降させるためには、スクリーンとガイドレールとの吸着状態を一旦解除する必要があり、その操作が煩雑となる。
【０００７】
特許文献１，２に記載された構成では、上記のような問題点を解決する手段は開示されていない。
この考案の目的は、スクリーンの両側縁をガイドレールに吸着して遮光性を確保しながら、スクリーンの昇降操作を円滑にかつ軽微な操作力で操作し得るロールブラインドを提供することにある。
【課題を解決するための手段】
【０００８】
請求項１では、取付面に回転可能に支持された巻取軸からスクリーンを昇降可能に吊下支持し、前記スクリーンの両側部と、該両側部に対向するガイドレールとの間に互いに吸着する吸着手段を備えたロールブラインドにおいて、前記ガイドレールに設けた吸着手段の吸着面は、前記スクリーンの昇降操作時にスクリーンを吸着しないように、該スクリーンの昇降位置から離間させた。
【０００９】
請求項２では、前記吸着面は、前記巻取軸の中心線に沿って位置させた。
請求項３では、前記吸着手段は、前記スクリーンの両側部に取着した磁性帯と、前記ガイドレールに設けられ、前記磁性帯と吸引しあう吸着材とを備えた。
【００１０】
請求項４では、前記巻取軸の一端から垂下される操作チェーンで巻取軸を回転させて前記スクリーンを昇降可能とした。
【考案の効果】
【００１１】
本考案によれば、スクリーンの両側縁をガイドレールに吸着して遮光性を確保しながら、スクリーンの昇降操作を円滑にかつ軽微な操作力で操作し得るロールブラインドを提供することができる。
【図面の簡単な説明】
【００１２】
【図１】一実施形態のロールブラインドを示す正面図である。
【図２】一実施形態のロールブラインドを示す平面図である。
【図３】一実施形態のロールブラインドを示す側面図である。
【図４】一実施形態のロールブラインドの動作を示す側面図である。
【図５】一実施形態のロールブラインドの動作を示す側面図である。
【図６】一実施形態のロールブラインドの動作を示す側面図である。
【考案を実施するための形態】
【００１３】
以下、この考案を具体化した一実施形態を図面に従って説明する。図１に示すロールブラインドは、フレーム１の両端に支持ブラケット２が取着され、その支持ブラケット２間に巻取軸３が回転可能に支持されている。前記フレーム１は取付ブラケット４で取付面に固定される。
【００１４】
前記巻取軸３からスクリーン５が吊下支持され、そのスクリーン５の下端にはボトムレール６が取着されている。前記巻取軸３の一端にはプーリー７が取着され、図３に示すように、そのプーリー７に無端状の操作チェーン８が掛装されている。そして、操作チェーン８の操作により巻取軸３を回転操作可能であり、巻取軸３をスクリーン巻取り方向に回転させれば巻取軸３にスクリーン５が巻き取られてボトムレール６が上昇し、巻取軸３をスクリーン巻戻し方向に回転させれば、スクリーン５が巻戻されて下降するようになっている。
【００１５】
前記巻取軸３内には、スプリングモーター（図示しない）が配設されている。このスプリングモーターはスクリーン５の巻き戻し操作時に蓄勢され、その付勢力によりスクリーン５の巻取り操作時の操作力を軽減するようになっている。
【００１６】
前記スクリーン５の両側部の後方には、ガイドレール９がそれぞれ立設されている。前記ガイドレール９は、図２に示すように、断面Ｌ型の形材で構成され、そのガイドレール９の前面には磁性を有する金属で形成された吸着材１０がガイドレール９のほぼ全長に亘って取着されている。
【００１７】
前記吸着材１０は、図４に示すように、その前面（吸着面）が前記巻取軸３の中心線上に位置するように設置されている。
前記スクリーン５の両側部背面には、前記吸着材１０に対向する位置に帯状の樹脂マグネットで構成される磁性帯１１が接着されている。そして、図５に示すように、スクリーン５をすべて巻戻して同スクリーン５が巻取軸３の中心線に沿って垂下される状態となると、磁性帯１１が吸着材１０に吸着するようになっている。
【００１８】
次に、上記のように構成されたロールブラインドの動作を説明する。操作チェーン８を操作して巻取軸３をスクリーン巻取り方向に回転させると、巻取軸３にスクリーン５が巻き取られ、スクリーン５及びボトムレール６が上昇する。
【００１９】
一方、巻取軸３をスクリーン巻戻し方向に回転させると、巻取軸３からスクリーン５が巻戻されて、スクリーン５及びボトムレール６が下降する。
図３及び図４に示すように、スクリーン５が下限まで下降されていないとき、吸着材１０と磁性帯１１との間には、巻取軸３の半径以上の間隔が確保され、磁性帯１１が吸着材１０に吸着されることはない。従って、スクリーン５を自在に昇降可能である。
【００２０】
図５に示すように、巻取軸３からスクリーン５をすべて巻戻すと、スクリーン５が巻取軸３の中心線に沿って垂下される状態となる。すると、吸着材１０と磁性帯１１との間隔はほとんどなくなるので、磁性帯１１が吸着材１０に吸着される。
【００２１】
この状態では、スクリーン５の両側部がガイドレール９に密着する状態となるため、スクリーン５の両側縁から室内への光の洩れが防止される。
この状態から、スクリーン５を引き上げるために、巻取軸３をスクリーン巻取り方向に回転させると、図６に示すように、スクリーン５はその上部がガイドレール９から遠ざかる方向に引っ張られるため、スクリーン５は吸着材１０に対しその上部から順次引き剥がされる。従って、スクリーン５は吸着材１０に対し引き摺ることなく巻取軸３に巻き取られる。
【００２２】
上記のように構成されたロールブラインドでは、次に示す作用効果を得ることができる。
（１）スクリーン５を下限まで下降させたとき、スクリーン５の両側部の磁性帯１１をガイドレール９の吸着材１０に吸着させて、スクリーン５の両側部とガイドレール９とを密着させることができる。従って、スクリーン５の両側縁から室内への光の洩れを防止することができる。
（２）ガイドレール９に取着した吸着材１０の前面は、巻取軸３の中心線に沿って位置するので、スクリーン５をすべて巻戻したときに限り、スクリーン５の両側部を吸着材１０に吸着させることができる。従って、スクリーン５の昇降操作を円滑に行うことができる。
（３）スクリーン５の両側部がガイドレール９に密着している状態からスクリーン５を引き上げるとき、まず磁性帯１１が吸着材１０から引き剥がされた後に巻取軸３に巻き取られる。従って、磁性帯１１が吸着材１０に沿って引き摺られないので、引き上げ操作を軽微な操作力で行うことができる。
（４）操作チェーン８の操作のみで、スクリーン５の昇降操作と、スクリーン５の両側部をガイドレール９に吸着させる操作と、スクリーン５の両側部をガイドレール９から引き剥がす操作とを行うことができる。従って、スクリーン５の昇降操作及び吸着操作を容易に行うことができる。
【００２３】
上記実施形態は、以下の態様で実施してもよい。
・吸着材１０は、スクリーン５の昇降時に磁性帯１１が吸着しない範囲で、巻取軸３の中心線上より前方、すなわちスクリーン５の昇降位置側に位置させてもよい。
・吸着材１０は、巻取軸３の中心線上より後方に位置させてもよい。この場合には、スクリーン５をすべて巻戻した後、さらに巻取軸３を同方向に回転させてスクリーン５を逆巻するときにスクリーンの磁性帯が吸着材に吸着されるので、スクリーン５の昇降操作時でのスクリーンの吸着材への無用な吸着をさらに確実に防止することができる。
・ガイドレール９を磁性材で形成して、ガイドレール９の前面に磁性帯１１を吸着させるようにしてもよい。
【符号の説明】
【００２４】
３…巻取軸、５…スクリーン、８…操作チェーン、９…ガイドレール、１０…吸着手段（吸着材）、１１…吸着手段（磁性帯）。
【図１】
0003154375.tif 000003
【図２】
0003154375.tif 000004
【図３】
0003154375.tif 000005
【図４】
0003154375.tif 000006
【図５】
0003154375.tif 000007
【図６】
0003154375.tif 000008